【事件の表示】
　特願２００４−１６５７７９「光センサ、光センサ出力処理方法、表示装置および電子機器」拒絶査定不服審判事件〔平成１７年１２月１５日出願公開，特開２００５−３４５２８６〕について，次のとおり審決する。
【結　論】
　本件審判の請求は，成り立たない。
【理　由】
第１　手続の経緯　
　本願は，平成１６年６月３日の特許出願であって，平成１８年１１月１０日付けで拒絶査定がなされ，これに対し，平成１９年１月１６日に拒絶査定に対する審判請求がなされたものである。　
　　
第２　本願発明　
　本願の請求項１〜１１に係る発明は，平成１８年８月９日付けの手続補正書により補正された特許請求の範囲の請求項１〜１１に記載された事項により特定されたものと認められ，その請求項１１に係る発明は，次のとおりである。
　　
「【請求項１１】　
　電源間にｐチャネル型トランジスタとｎチャネル型トランジスタを有し、共通ゲートが入力端であり、共通ドレインが出力端であり、しきい値を境に論理反転するコンパレータと、　
　一端と他端との間で受光光量に応じた電流が流れ、前記入力端に前記一端が接続された受光素子と、　
　前記コンパレータの入力端および出力端の間を短絡させるための第１スイッチと、　
　前記受光素子の一端を、予め定められた所定電圧だけ変位させる電圧変位回路と、　
を備える　
　ことを特徴とする光センサ。」（以下，「本願発明」という。）　
　　
第３　引用刊行物およびその記載事項　
　本願出願前に頒布され，原査定の拒絶の理由に引用された刊行物である特開平５−１８８２０号公報（以下，「引用例」という。）には，「測光装置」について，図面とともに次の事項が記載されている。　
　　
（１−ア）　
「【請求項１】入力電圧が所定値を越えると反転出力する入力ゲートを含むＣＭＯＳ入力端子と、ＣＭＯＳ出力端子とを有するマイクロコンピュータと、　
入射光量に応じて光電流を出力する測光素子と、　
この測光素子の内部に寄生しているか、上記測光素子の外部に並列に接続されたコンデンサと、　
上記マイクロコンピュータの上記ＣＭＯＳ出力端子と上記測光素子との間に接続され、この出力端子より出力される制御信号に応じて複数種類のアナログ電圧が生成され、このアナログ電圧に応じて上記コンデンサの開始レベルを設定する電圧設定手段と、　
この電圧設定手段によって充電もしくは放電の開始レベルが設定された後に、上記測光素子の上記光電流による充電もしくは放電を開始させ、上記入力ゲートが反転するまでの時間を計測する計測手段と、　
この計測手段の出力に基づいて、上記計測された時間が最適な範囲に入るように上記電圧設定手段によって設定されるアナログ電圧を再設定する再設定手段と、　
を具備し、この再設定手段によって最適化された後に、上記計測された時間に基づいて光量を測定することを特徴とした測光装置。」　
　　
（１−イ）　
「【０００１】　
【産業上の利用分野】この発明は、測光装置に係り、特に、カメラ等の光学機器に使用される測光装置に関するものである。」　
　　
（１−ウ）　
「【０００９】本発明は上記問題点に鑑みてなされたものであり、ＣＰＵの選択の幅を限定することなく、比較的簡単な構成の測光ダイナミックレンジの広いＣＰＵ測光の手法を提供することを目的とするものである。」　
　　
（１−エ）　
「【００１１】　
【作用】即ち、本発明による測光装置は、電圧設定手段によってコンデンサの充電もしくは放電の開始レベルを設定し、その後、計測手段によって測光素子の光電流による充電もしくは放電を開始させてマイクロコンピュータの入力ゲートが反転するまでの時間を計測し、この計測手段の出力に基づいて、再設定手段によって上記計測された時間が最適な範囲に入るように上記電圧設定手段によって設定されるアナログ電圧を再設定し、この再設定手段によって最適化された後に、上記計測された時間に基づいて光量を測定する。」　
　　
（１−オ）　
「【００１２】　
【実施例】以下図面を参照して、この発明の実施例を説明する。　
【００１３】図１は、本発明の測光装置の第１の実施例の構成を示す電気ブロック図である。この測光装置は、ＣＰＵ１０、フォトダイオード２０、抵抗３１，３２、コンデンサ４１、トランジスタ５１，５２から構成されている。　
【００１４】この測光装置は、測光素子としてのフォトダイオード２０に、入射光量に応じて発生する光電流でこのフォトダイオード２０の寄生容量２１に蓄えられた電圧を放電することにより発生する電圧と、ＣＰＵ１０内のシュミット形インバータ１１の閾値電圧との比較を行う回路であり、明暗の検出を行う回路である。　
【００１５】上記フォトダイオード２０のカソードは、電源ＶＣ に接続され、該フォトダイオード２０のアノードは、ＣＰＵ１０内に構成されたシュミット形インバータ１１の入力ポートＰ０に接続されている。　
【００１６】上記フォトダイオード２０のアノードにはさらに、ＰＮＰトランジスタ５１のエミッタが接続され、そのコレクタはＧＮＤに接地されている。そのベースは一方の端子が接地された抵抗３１の他方の端子と、ＮＰＮトランジスタ５２のエミッタに接続されている。上記抵抗３１の他方の端子とトランジスタ５１のベース及びトランジスタ５２のエミッタは、ＣＰＵ１０内に構成されたＰチャネルオープンドレイントランジスタ１２の出力ポートＰ２に接続されている。　
【００１７】また、ＮＰＮトランジスタ５２のコレクタは電源ＶＣに接続され、ベースは片方が接地されたコンデンサ４１の他方の端子と、抵抗３２の一方の端子とに接続されている。上記抵抗３２の他方の端子はＣＰＵ１０内に構成されたＰチャネルトランジスタ１３及びＮチャネルトランジスタ１４で成る相補形スイッチの出力ポートＰ２に接続されている。このように構成された第１の実施例の動作について、図２のタイムチャート及び図３のフローチャートを参照して説明する。　
【００１８】まず、ＣＰＵ１０は、時刻ｔ１で、Ｐチャネルオープンドレイントランジスタ１２の出力をハイインピーダンス状態に変える。即ち、そのトランジスタ１２をＯＦＦして、出力ポートＰ１をローレベルとする（ステップＳ１）。　
【００１９】ここで、ＣＰＵ１０の相補形スイッチをＯＮ／ＯＦＦして出力ポートＰ２をデューティ駆動すると、抵抗３２とコンデンサ４１とでＲＣフィルタが構成されており、図中のＡ点の電位は、出力ポートＰ２からの出力のデューティ比によって任意のアナログ電位に設定することが可能となる。また、フォトダイオード２０のアノード電位は、上記Ａ点の電位に等しいので、ＣＰＵ１０は出力ポートＰ２のデューティ駆動によってフォトダイオード２０のアノード電位を任意の電圧値に固定することが可能である。　
【００２０】したがって本実施例では、次に、時刻ｔ２で、フォトダイオード２０のアノード電位が電源ＶＣ電圧の１５／３２（即ち（１５／３２）ＶＣ）となるような第１のデューディ駆動を行なう（ステップＳ２）。これは、図２に示すように、出力ポートＰ２の出力のハイレベルとローレベルとの比を１５：１７とすることで実現される。　
【００２１】次に、時刻ｔ３で、上記Ｐチャネルオープンドレイントランジスタ１２をＯＮして、出力ポートＰ１をハイレベルとし（ステップＳ３）、これと同時にＣＰＵ１０は不図示の内蔵タイマによるタイマカウントを開始する（ステップＳ４）。　
【００２２】すると、フォトダイオード２０は、その寄生容量２１に蓄えられていたＶＣの電圧を入射光量に応じた光電流で放電し、これによりフォトダイオード２０のアノード電位は、図２に示すように、第１のデューティ駆動により設定されたレベルから光電流に応じた傾きで上昇し始める。そして、ある時間が経過して、上昇した電位がシュミット形インバータ１１のスレッシュレベルＶｔｈ（＝（１／２）ＶＣ）に到達すると（時刻ｔ４）、該インバータ１１の出力はハイレベルからローレベルへと変化する（ステップＳ５）。ＣＰＵ１０は、この反転までの時間をタイムカウントする（ステップＳ６）。　
【００２３】そして、このようにして得られたタイムカウント値が、所定値よりも大きければ（ステップＳ７）、測光ルーチンを終了し、その値を測光値として採用する。ここで、上記所定値とは、測光値の分解能が所定レベルになるか否かを判断するためのものである。　
【００２４】上記ステップＳ７に於いて、逆に、タイムカウント値が上記所定値よりも小さいと判断された場合には、測光値の分解能が不充分であると判断する。このような場合には、時刻ｔ５で、再びＰチャネルオープンドレイントランジスタ１２をＯＦＦして、出力ポートＰ１をローレベルとすると共に（ステップＳ８）、フォトダイオード２０のアノード電位が電源ＶＣ電圧の８／３２（即ち（８／３２）ＶＣ）となるような第２のデューディ駆動を行なう（ステップＳ９）。これは、図２に示すように、出力ポートＰ２の出力のハイレベルとローレベルとの比を８：２４とすることで実現される。　
【００２５】こうして、第２のデューティ駆動レベル（８／３２）ＶＣ にフォトダイオード２０のアノード電位を設定した後、時刻ｔ６で、上記ステップＳ３から再度繰り返すことにより、フォトダイオード２０の放電を行い、時刻ｔ７で、測光ルーチンを終了する。」　
　　
（１−ヘ）　
「【００３１】　
【発明の効果】以上詳述したように、本発明によれば、ＣＰＵの選択の幅を限定することなく、比較的簡単な構成の測光ダイナミックレンジの広いＣＰＵ測光の手法を提供することができる。　
【００３２】即ち、本発明は、ローパスフィルタとデューティ駆動によって測光素子のアノード電位を設定し、測光素子による充（放）電の開始電位を変化させることによって、比較的簡単な構成にて低コスト，省スペースという従来の利点に加えて、ダイナミックレンジの大きな測光装置を提供することができる。」　
　　
　そうすると，これらの記載と図面を総合すると，引用例には，次の発明が記載されていると認められる。　
「入力電圧が所定値を越えると反転出力する入力ゲートを含むＣＭＯＳ入力端子と，ＣＭＯＳ出力端子とを有するマイクロコンピュータと，　
入射光量に応じて光電流を出力する測光素子と，　
この測光素子の内部に寄生しているか，上記測光素子の外部に並列に接続されたコンデンサと，　
上記マイクロコンピュータの上記ＣＭＯＳ出力端子と上記測光素子との間に接続され，この出力端子より出力される制御信号に応じて複数種類のアナログ電圧が生成され，このアナログ電圧に応じて上記コンデンサの放電の開始レベルを設定する電圧設定手段と，　
この電圧設定手段によって放電の開始レベルが設定された後に，上記測光素子の上記光電流による放電を開始させ，上記入力ゲートが反転するまでの時間を計測する計測手段と，　
この計測手段の出力に基づいて，上記計測された時間が最適な範囲に入るように上記電圧設定手段によって設定されるアナログ電圧を再設定する再設定手段と，　
を具備し，この再設定手段によって最適化された後に，上記計測された時間に基づいて光量を測定する測光装置。」（以下，「引用発明」という。）　
　　
第４　対比・判断　
　本願発明と引用発明とを対比すると，その機能・構造からみて，引用発明の「入射光量に応じて光電流を出力する測光素子」，「電圧設定手段」，および「測光装置」は，それぞれ，本願発明の「受光素子」，「電圧変位回路」および「光センサ」に相当することは明らかである。また，引用発明の「入力電圧が所定値を越えると反転出力する入力ゲート」と本願発明の「電源間にｐチャネル型トランジスタとｎチャネル型トランジスタを有し、共通ゲートが入力端であり、共通ドレインが出力端であり、しきい値を境に論理反転するコンパレータ」とは，「しきい値を境に論理反転するコンパレータ」である点で共通するといえる。　
　そうすると，両者は，　
（一致点）　
「しきい値を境に論理反転するコンパレータと，　
　一端と他端との間で受光光量に応じた電流が流れ，前記入力端に前記一端が接続された受光素子と，　
　前記受光素子の一端を，予め定められた所定電圧だけ変位させる電圧変位回路と，　
を備える　
　ことを特徴とする光センサ。」　
点で一致し，次の点で相違する。　
　　
（相違点１）　
　「コンパレータ」について，本願発明では「電源間にｐチャネル型トランジスタとｎチャネル型トランジスタを有し、共通ゲートが入力端であり、共通ドレインが出力端であ」るのに対して，引用発明ではそのような構成か否か不明である点。　
　　
（相違点２）　
　本願発明では，「前記コンパレータの入力端および出力端の間を短絡させるための第１スイッチ」を具備するのに対して，引用発明では，そのような構成を具備していない点。　　
　まず，相違点１を検討するに，　
原査定の理由において引用された「James J. Brophy著，青島伸治・井戸禎光・太田道男訳，エレクトロニクス序説，日本，サイエンティスト社，１９８６年　３月３１日，初版第一刷，２４７頁」に記載されているように，「電源間にｐチャネル型トランジスタとｎチャネル型トランジスタを有し，共通ゲートが入力端であり，共通ドレインが出力端であるコンパレータ」は本願出願前周知であるといえる。　
　してみると，引用発明の「入力電圧が所定値を越えると反転出力する入力ゲート」を前記周知のコンパレータに置き換え，相違点１の本願発明１の構成とすることは，当業者ならば適宜選択し得る設計的事項に過ぎないというべきである。　
　　
　次に，相違点２を検討するに，　
コンパレータにおいて「その入力端および出力端の間を短絡させるためのスイッチを具備する」ことも本願出願前周知であるといえる。例えば，特開平３−８５０１３号公報の２頁左上欄１６行〜同頁右上欄４行には「このチョッパ型コンパレータは、参照電圧Ｖ１と入力電圧Ｖ２との大小を判定するために、まず、初期化を行う。この初期化期間では、スイッチ１ａ、４をオンし、スイッチ１ｂをオフすることにより、コンデンサ２は、参照電圧Ｖ１とインバータ３のスレッショルド電圧ＶＴとで充放電される。その結果、コンデンサ２の入力側は参照電圧Ｖ１となり、インバータ３の入出力側はそれぞれスレッショルド電圧ＶＴで安定する。」と記載されており，特開平１−１３３４１０号公報の２頁右下欄７〜１８行には「次に従来のコンパレータの動作につき説明する。まず、オートゼロ時には、スイッチＳ１，Ｓ３，Ｓ４及びＳ６が夫々オンとされ、かつ、スイッチＳ２及びＳ５が夫々オフとされる。これにより、基準電圧ＶｒｅｆのみがスイッチＳ１を通してコンデンサＣ１のＳ１，Ｓ２側に印加され、これを充電する。コンデンサＣ１のＧ１，Ｓ３側はスイッチＳ３、インバータＧ１によってＧ１のしきい値付近の電圧に充電される。コンデンサＣ２のＳ４，Ｇ２側も同様にしてＧ２のしきい値付近の電圧に充電される。しかし、スイッチＳ５はオフだから、インバータＧ３の出力はＧ４に印加されない。」と記載されており，特開昭６４−５７８１１号公報の２頁右上欄２０行〜同頁左下欄７行には「まず、スイッチ１４，１８をオンにし、スイッチ１５をオフにする。これによりリニアアンプｌ０の入力側と出力側が短絡されて入力側電圧及び出力側電圧がともにしきい値電圧（第５図の動作曲線上の０点）となる。しきい値電圧をａとすると、入力電圧Ａにより、コンデンサ１３にはＱ＝Ｃ（Ａ−ａ）の電荷が蓄えられる。Ｃはコンデンサ１３のキャパシタンスである。」と記載されている。　
　そうすると，引用発明において，上記周知の事項である「その入力端および出力端の間を短絡させるためのスイッチを具備する」ことを適用して，相違点２における本願発明１の構成とすることは，当業者ならば何ら困難性なく，容易に想到し得る事項であるといえる。　
　　
　そして，本願明細書に記載された効果も，引用発明および上記周知の技術から，当業者が予測し得る範囲のものであり，格別顕著なものといえない。
　　
　したがって，本願発明は，引用発明および上記周知の事項に基づいて当業者が容易に発明をすることができたものであるというべきである。　
　　
第５　まとめ　
　以上のとおり，本願発明は，本願出願前に頒布された引用例に記載された発明および周知の事項に基づいて当業者が容易に発明をすることができたものであるから，特許法第２９条第２項の規定により特許を受けることができない。
　そして，その余の請求項に係る発明について言及するまでもなく，本願は，拒絶されるべきものである。　
　よって，結論のとおり審決する。